(57)【要約】  【課題】天板を傾動させることができるようにすべく左右のガススプリングを対応する各脚体の左右方向中央に設置した従来のデスクにおける、チルト天板の使用端側における下面近傍空間がガススプリングの存在により狭められるという課題を解消する。  【解決手段】チルト天板２と、このチルト天板２の左右両端部２ａをチルト動作可能に支持する左右対をなすベース１と、これら各ベース１と前記チルト天板２との間に設けられた左右対をなすガススプリング４１と、前記各ベース１を支持する左右対をなす脚体３１とを備えてなるテーブルＴにおいて、前記各ガススプリング４１が、対応する脚体３１の左右方向中央よりも外側方寄りに偏移させて配設されている構成を採用する。【選択図】図１３
2020065757.tif 000002
【特許請求の範囲】
【請求項１】
チルト天板と、このチルト天板の左右両端部をチルト動作可能に支持する左右対をなすベースと、これら各ベースと前記チルト天板との間に設けられた左右対をなすガススプリングと、前記各ベースを支持する左右対をなす脚体とを備えてなり、
前記各ガススプリングが、対応する脚体の左右方向中央よりも外側方寄りに偏移させて配設されているテーブル。
【請求項２】
前記各ベースが、前記各脚体の上端に止着され前記チルト天板を枢支するベース本体と、前記脚体の前端部を覆うようにして前記ベース本体から垂下された断面コ字形の取付台座とを備えたものであり、
前記ガススプリングが、前記取付台座の外側の角部に近接する部位に取付けられている請求項１記載のテーブル。
【請求項３】
前記取付台座が、前記脚体の前端面を覆う前板と、前記脚体の内外の側面を覆う内側板及び外側板とを備えたものであり、
前記ガススプリングが、前記前板と前記外側板とが交わる角部に近接させて当該前板に取付けられている請求項１又は２記載のテーブル。
【請求項４】
前記脚体が、テレスコープ式に伸縮する角柱状のものであり、
前記取付台座の前板が前記脚体の前面に対面しているとともに、前記取付台座の内外の側板が前記脚体の内外の側面に対面している請求項３記載のテーブル。
【請求項５】
前記両ベースが連結ビームにより結合されており、前記チルト天板に設けられた操作体から導出される操作ワイヤーが、前記連結ビーム及び前記ベースに案内されて前記ガススプリングに導かれている請求項１、２、３又は４記載のテーブル。
【請求項６】
前記チルト天板が、左右両端部に前記ベースの外側面を覆う垂下板部を備えたものであり、
前記ガススプリングが、基端を前記ベースの取付台座に軸着するとともに先端を前記垂下板部に軸着したものである請求項２記載のテーブル。
【請求項７】
前記チルト天板の垂下板部が、前記ベースに支軸を介して傾動可能に軸支されている請求項６記載のテーブル。
【発明の詳細な説明】
【技術分野】
【０００１】
本発明は、オフィス等で好適に使用されるテーブルに関する。
【背景技術】
【０００２】
近時、多様な使用態様に対応させるべく、天板を傾動させることができるようにした机が知られている（例えば、特許文献１を参照）。
【０００３】
この机は、左右対をなす脚体の上端部に左右のベースをそれぞれ設け、それらのベースに天板の両側端部を傾動可能に支持させている。そして、前記ベースに設けられたねじ送り機構によって天板の傾斜角度を変更できるようにしているとともに、各ベースとチルト天板との間に重力相殺用のガススプリングを介設してチルト操作の軽快化を図っている。
【０００４】
ところが、かかる従来のものは、左右のガススプリングを対応する各脚体の左右方向中央に設置しているため、左右のガススプリング間に形成される空間の左右幅が狭くなっている。すなわち、チルト天板の使用端側における下面近傍空間がガススプリングの存在により狭められている。使用端側の下面近傍空間は使用者に最も近いため、その狭さは敏感に感じとられてしまう（課題１）。
【０００５】
また、最近、テレスコープ状に上下伸縮する脚体が汎用品として普及しているが、かかる汎用品は脚体の上端に取付け部が設けられている。しかして、かかる汎用品そのまま使用するには、例えば、各ベースを脚体の上端に取り付けられるベース本体と、脚体の前端部を覆うようにして前記ベース本体から垂下された取付台座とを備えたものにし、その取付台座の下端部とチルト天板との間にガススプリングを介設しないと、ガススプリングの反発力で効率よくチルト天板を回動付勢することができない。
【０００６】
しかるに、前記ベースの取付台座には、ガススプリングがチルト天板を回動付勢する際に生じる反作用がかかることになり、取付台座が脚体方向に押圧される。その結果、取付台座が歪んで脚体と干渉する恐れがある。特に、ガススプリングが脚体の左右方向中央に配されていると、取付台座の中央部が歪みやすく脚体に触れて脚体の伸縮動作を阻害する危険性がある（課題２）。
【先行技術文献】
【特許文献】
【０００７】
【特許文献１】実開昭６２−９２７２６号公報
【発明の概要】
【発明が解決しようとする課題】
【０００８】
請求項１記載の発明は、少なくとも前述した課題１を解消しようとするものである。
【０００９】
請求項２，３，４記載の発明は、課題１の解消に加えて、課題２をも解消することを目的としている。
【課題を解決するための手段】
【００１０】
請求項１記載の発明に係るテーブルは、チルト天板と、このチルト天板の左右両端部をチルト動作可能に支持する左右対をなすベースと、これら各ベースと前記チルト天板との間に設けられた左右対をなすガススプリングと、前記各ベースを支持する左右対をなす脚体とを備えてなり、前記各ガススプリングが、対応する脚体の左右方向中央よりも外側方寄りに偏移させて配設されているものである。
【００１１】
請求項２記載の発明に係るテーブルは、請求項１記載のものにおいて、前記各ベースが、前記各脚体の上端に止着され前記チルト天板を枢支するベース本体と、前記脚体の前端部を覆うようにして前記ベース本体から垂下された断面コ字形の取付台座とを備えたものであり、前記ガススプリングが、前記取付台座の外側の角部に近接する部位に取付けられているものである。
【００１２】
請求項３記載の発明に係るテーブルは、請求項１又は２記載のものにおいて、前記取付台座が、前記脚体の前端面を覆う前板と、前記脚体の内外の側面を覆う内側板及び外側板とを備えたものであり、前記ガススプリングが、前記前板と前記外側板とが交わる角部に近接させて当該前板に取付けられているものである。
【００１３】
請求項４記載の発明に係るテーブルは、請求項３記載のものにおいて、前記脚体が、テレスコープ式に伸縮する角柱状のものであり、前記取付台座の前板が前記脚体の前面に対面しているとともに、前記取付台座の内外の側板が前記脚体の内外の側面に対面しているものである。
【００１４】
請求項５記載の発明に係るテーブルは、請求項１、２、３又は４記載のものにおいて、前記両ベースが連結ビームにより結合されており、前記チルト天板に設けられた操作体から導出される操作ワイヤーが、前記連結ビーム及び前記ベースに案内されて前記ガススプリングに導かれているものである。
【００１５】
請求項６記載の発明に係るテーブルは、請求項２記載のものにおいて、前記チルト天板が、左右両端部に前記ベースの外側面を覆う垂下板部を備えたものであり、前記ガススプリングが、基端を前記ベースの取付台座に軸着するとともに先端を前記垂下板部に軸着したものである。
【００１６】
請求項７記載の発明に係るテーブルは、請求項６記載のものにおいて、前記チルト天板の垂下板部が、前記ベースに支軸を介して傾動可能に軸支されている請求項６記載のテーブル。
【発明の効果】
【００１７】
請求項１記載の発明によれば、少なくとも課題１を解消することが可能なテーブルを提供することができる。
【００１８】
また、請求項２、３、４記載の発明によれば、課題１に加え課題２をも解消することができるテーブルを提供することが可能となる。
【図面の簡単な説明】
【００１９】
【図１】本発明の一実施形態に係るテーブルを示す平面図。
【図２】同実施形態に係るテーブルを示す正面図。
【図３】同実施形態に係るテーブルを示す斜視図。
【図４】同実施形態に係るテーブルを示す左側面図。
【図５】同実施形態に係るテーブルを示す斜視図。
【図６】同実施形態に係るテーブルを示す左側面図。
【図７】同実施形態に係るテーブルを示す斜視図。
【図８】同実施形態に係るテーブルを示す左側面図。
【図９】同実施形態に係るテーブルを示す斜視図。
【図１０】同実施形態に係るテーブルを示す左側面図。
【図１１】図２におけるＡ−Ａ線に対応する拡大断面図。
【図１２】同実施形態に係るテーブルを下面側から観察した斜視図。
【図１３】図１２におけるＢ矢示部分の構成を説明するための拡大斜視図。
【図１４】同実施形態に係るテーブルを示す全体分解斜視図。
【図１５】同実施形態に係るテーブルのベース部分を示す斜視図。
【図１６】同実施形態に係るテーブルを示す要部分解斜視図。
【図１７】同実施形態に係るテーブルのガススプリングを露出させた状態の正面図。
【図１８】図１７におけるＣ−Ｃ線に沿う断面図。
【図１９】図１７におけるＤ−Ｄ線に沿う拡大断面図。
【図２０】図１７におけるＥ部を拡大して示す拡大図。
【図２１】図１８におけるＦ部を拡大して示す拡大図。
【図２２】同実施形態に係るガススプリングと操作体との接続状態の説明図。
【図２３】同実施形態に係る操作体の操作方法を示す説明図。
【発明を実施するための形態】
【００２０】
本発明の一実施形態を、図面を参照しつつ説明する。
【００２１】
この実施形態に係るテーブルＴは、図１〜図１２に示すように、ベース１に支持されたチルト天板２と、このチルト天板２をベース１とともに電動力により昇降動作させる電動昇降機構３と、チルト天板２をベース１に対し手動力とガススプリング４１の反発力を利用してチルト動作させる手動チルト機構４とを具備してなる。このテーブルＴは、左右対をなす脚体３１に左右対をなすベース１が支持されており、チルト天板２の左右両端部２ａが前記左右のベース１に傾動可能に支持されている。そして、左右のベース１同士は連結ビーム６により結合されている。
【００２２】
ベース１は、図１５、図１６、図１８及び図２１に示すように、各脚体３１の上端に止着されチルト天板２を枢支するベース本体１１と、脚体３１の前端部を覆うようにしてベース本体１１から垂下させた平断面コ字形の取付け台座１２とを備えたものであり、ガススプリング４１が、その取付け台座１２の外側の角部１２ａに近接する部位に取付けられている。
【００２３】
ベース本体１１は、図１５及び図１６に示すように、底板１１１と、この底板１１１の外側縁から起立させた外側板１１２と、底板１１１の内側縁から起立させた内側板１１３と、底板１１１の後縁から起立させた後板１１４とを一体に備えた金属製のもので、その内側板１１３に後述する連結ビーム６が溶接等により剛結されている。そして、このベース本体１１の前半部分には、当該ベース１を脚体３１に取付けるための脚体取付け部１１ａが設けられている。この脚体取付け部１１ａは、底板１１１に複数のねじ挿通孔ｍを設けたもので、この脚体取付け部１１ａ上には、補強金具１３と、ねじ受金具１４とが配されている。補強金具１３は、ベース本体１１の底板１１１上に添接される下板１３１と、この下板１３１の前縁から起立させた前板１３２と、下板１３１の後縁から起立させた中間板１３３とを一体に備えたもので、前板１３２と中間板１３３にはガススプリング４１に向かうワイヤーｗを挿通させるための貫通孔ｐがそれぞれ形成されている。ねじ受け金具１４は平板状のもので、底板１１１及び下板１３１のねじ挿通孔ｍに対応する部位にねじ挿通孔ｍを有している。また、ベース本体１１の後半部には、固定棚板５及びパネル８を取付けるためのナットｎを有したブラケット取付け部１１ｂが設けられている。
【００２４】
取付け台座１２は、図１５及び図１６に示すように、脚体３１の上端面とベース本体１１の下面との間に配される上板１２０と、この上板１２０の前縁から垂下され脚体３１の前端面を覆う前板１２１と、上板１２０の両側縁から垂下され脚体３１の内外の側面を覆う内側板１２２及び外側板１２３とを備えたものであり、ガススプリング４１が、前板１２１と外側板１２３とが交わる角部１２ａに近接させて当該前板１２１に取付けられている。上板１２０にも、底板１１１、下板１３１及びねじ受け金具１４のねじ挿通孔ｍに対応する部位にねじ挿通孔ｍを有している。
【００２５】
チルト天板２は、図３〜図１３及び図１７〜図２１に示すように、天板本体２１と、この天板本体２１の左右両端部２ａの下面２ｄに止着された軸受フレーム２２とを備えたものである。天板本体２１は、平面視略長方形状をなすものであり、反使用端２ｃの中間領域は凹陥させてある。各軸受フレーム２２は、天板本体２１の下面２ｄにねじ止めされた取付け板部２２１と、この取付け板部２２１の外側縁から垂下させた垂下板部２２２とを一体に備えたもので、その垂下板部２２２が支軸２３を介して対応するベース１に軸着されている。また、取付け板部２２１の前端部内縁には、垂下板部２２２と協働してガススプリング４１の先端取付部４１３を軸支するための前端垂下部２２３が垂下させてある。
【００２６】
電動昇降機構３は、図２〜図１０に示すように、電動力により上下方向に伸縮可能な脚体３１を備えたものであり、脚体３１の伸縮動作によりベース１を昇降させるようにしたものである。脚体３１は、前後に伸びる脚羽根３２の中央部に立設されたもので、左右に一対設けられている。脚体３１は、図７〜図１０、図１６に示すように、下段ハウジング３１１と、中段ハウジング３１２と、上段ハウジング３１３とをテレスコープ状に組み合わせ、内部の図示しない電動アクチュエータにより、それらのハウジング３１１、３１２、３１３を伸縮動作させるように構成されたもの（例えば商品名「電動昇降装置」、リナック株式会社製）で、図１６に示すように、その上端３１ａに取付部３１４を備えている。この取付部３１４は、複数箇所に雌ねじ孔ｖを設けたものである。脚体３１の構成は、通常のものであるため、詳細な説明は省略する。なお、符号３３は、脚体３１の伸縮動作を操作するための操作スイッチである。符号３４は、脚体３１に電力を供給するための電源ボックスである。符号ｋ１は、後述する給電用の第１のケーブルである。符号ｋ２は、後述する給電用の第２のケーブルである。符号ｋ３は、後述する信号用のケーブルである。脚体３１に対するベース１の取り付けは、ベース１を構成するねじ受金具１４のねじ挿通孔ｍと、補強金具１３の下板１３１に設けられたねじ挿通孔ｍと、ベース本体１１の底板１１１に設けられたねじ挿通孔ｍと、取付け台座１２の上板１２０に設けられたねじ挿通孔ｍに図示しないねじを挿通させ、そのねじを脚体３１の雌ねじ孔ｖに螺着し緊締することにより行われている。
【００２７】
手動チルト機構４は、図１２、図１３及び図１７〜図２３に示すように、ベース１とチルト天板２との間に介在させたガススプリング４１を備えたものであり、ガススプリング４１のロック位置を変更することによってチルト天板２の傾斜角度を変えることができるようにしたものである。すなわち、この手動チルト機構４は、ロック解除状態においてチルト天板２をベース１に対して正回転方向に付勢するガススプリング４１と、このガススプリング４１のロックを解除するための操作体４２とを備えたものであり、ガススプリング４１のロックを解除した状態で前記チルト天板２を逆回転方向に手動力で傾動させることによってガススプリング４１に反発力が蓄勢されるように構成されている。
【００２８】
ガススプリング４１は、図１９、図２１及び図２２に示すように、基端に基端取付け部４１１を有するシリンダ４１２と、このシリンダ４１２に突没可能に設けられその先端に先端取付け部４１３を有するロッド４１４とを備えた通常のものであり、ロッド４１４の先端から突出する操作端４１４ａを押圧することによってロック解除状態となり、押圧を止めることによってロック状態に自己復帰するようになっている。このガススプリング４１は、基端取付け部４１１を基端連結軸４１５及び軸受け部材４１６を介してベース１の取付け台座１２に上下方向に回動可能に取り付けるとともに、先端取付け部４１３を先端連結軸４１７を介してチルト天板２の軸受けフレーム２２に軸着している。すなわち、先端連結軸４１７はチルト天板２の軸受けフレーム２２における垂下板部２２２と前端垂下部２２３との間に架設されたものであり、この先端連結軸４１７を介してガススプリング４１の先端取付け部４１３がチルト天板２に軸着されている。先端取付け部４１３には、ガススプリング４１の操作端４１４ａを押圧するための押圧レバー４１８が回動可能に装着されており、この押圧レバー４１８に操作体４２から導かれたワイヤーｗの一端が接続されている。具体的には、操作体４２の操作レバー４２２を図２２に実線で示すロック位置から想像線で示すロック解除位置まで回動させることによって、押圧レバー４１８が実線で示す非操作端押圧位置から想像線で示す操作端押圧位置まで回動するようになっており、操作レバー４２２をロック位置に戻すことによって押圧レバーが非操作端押圧位置に戻るようになっている。
【００２９】
ここで、チルト天板２は、図３〜図１０に示すように、反使用端２ｃ寄りの部位を支点にして水平姿勢ｈから傾斜姿勢ｓまでチルト動作し得るものであり、ガススプリング４１は、チルト天板２を水平姿勢ｈ方向、換言すれば正回転方向に弾性的に付勢するものである。操作体４２は、前記チルト天板２の下面２ｄにおける使用端２ｂ近傍部に配されている。そして、このチルト天板２のチルト動作を阻害しないようにして固定棚板５が設けられている。
【００３０】
固定棚板５は、図１〜図１２、図１４及び図１９に示すように、奥行寸法がチルト天板２に比べて小さい平面視長方形状の棚板本体５１と、この棚板本体５１の左右両端部５１ａに止着された取付けアーム５２とを備えたもので、それら左右の取付けアーム５２の先端部がベース１のブラケット取付け部１１ｂにそれぞれねじ止めされている。
【００３１】
＜操作体４２の配設位置＞
このテーブルＴの特徴の一つに操作体４２の配設位置がある。すなわち、このテーブルＴは、図１２及び図１８に示すように、チルト天板２と、このチルト天板２の左右両端部２ａをチルト動作可能に支持する左右対をなすベース１と、これら各ベース１と前記チルト天板２との間に設けられた左右対をなすガススプリング４１と、これらガススプリング４１のロック状態を切り替えるための共通の操作体４２と、この操作体４２に加えられる操作力を前記各ガススプリング４１に伝達する対をなすワイヤーｗとを具備してなるもので、共通の操作体４２が、チルト天板２の左右方向中央に設けられている。
【００３２】
左右のベース１は、図２、図１２〜図１５、図１７及び図１８に示すように、連結ビーム６により結合されており、ワイヤーｗは、連結ビーム６に案内されて各ガススプリング４１に導かれている。すなわち、操作体４２から延びる２本のワイヤーｗは、連結ビーム６内で左右に分岐させられて各ガススプリング４１に導かれている。
【００３３】
操作体４２は、図１２、図１３、図１７及び図１８に示すように、チルト天板２の下面２ｄにおける使用端２ｂ近傍部に取着された基台４２１と、この基台４２１に前後方向に回動可能に枢支された操作レバー４２２とを備えたものであり、図２３に示すように、操作レバー４２２をロック解除位置まで回動させた状態で、当該操作レバー４２２とチルト天板２の使用端２ｂ近傍部とを同時に把持し得るように構成されている。ワイヤーｗは、図２２に示すように、チューブｗａ内にワイヤー本体ｗｂをスライド可能に収容した通常のものであり、この操作体４２の基台４２１には２本のワイヤーｗのチューブｗａの一端がそれぞれ保持されている。そして、各チューブｗａの一端から延出させたワイヤー本体ｗｂの先端が操作レバー４２２の回転中心ｑから偏心した部位にそれぞれ接続されており、操作レバー４２２をロック位置（実線）からロック解除位置（想像線）まで回動操作することによって、両ワイヤーｗのワイヤー本体ｗｂが、チューブｗａに対して牽引されるようになっている。
【００３４】
このテーブルＴは、前述したように電動力によりベース１を昇降させる電動昇降機構３を備えたものであり、図２、図３、図５、図７、図９、図１２、図１３、図１７、図１８及び図２１に示すように、この電動昇降機構３の操作スイッチ３３が、チルト天板２の左右方向一端部に設けられている。
【００３５】
＜連結ビーム６の多目的利用＞
このテーブルＴは、左右対をなすベース１を連結ビーム６により結合しているが、この連結ビーム６には、ベース１同士を剛結する構造材としての役割だけでなく、電動昇降機構３のケーブルｋ１〜ｋ３や手動チルト機構４のワイヤーｗを案内する役割をも担わせている。すなわち、このテーブルＴは、主に図１２及び図１３に示すように、チルト天板２と、左右対をなすベース１と、これらのベース１を結合する連結ビーム６と、前記チルト天板２をベース１とともに電動力により昇降動作させる電動昇降機構３と、チルト天板２をベース１に対し手動力とガススプリング４１の反発力を利用してチルト動作させる手動チルト機構４とを具備してなるものであり、電動昇降機構３に関わるケーブルｋ１〜ｋ３と手動チルト機構４に関わるワイヤーｗを連結ビーム６内にそれぞれ収納している。
【００３６】
具体的に説明すれば、電動昇降機構３は、電動力によりベース１の支持高さ位置を変更可能な脚体３１と、チルト天板２の下面２ｄに設けられ脚体３１の動作を操作する操作スイッチ３３とを備えたものであり、前記脚体３１と前記操作スイッチ３３に関係したケーブルｋ１〜ｋ３を前記連結ビーム６内に収納している。そして、連結ビーム６内には、両脚体３１と操作スイッチ３３とを中継する電源ボックス３４が収納されている。すなわち、電源ボックス３４には、外部の図示しない電源コンセントに接続される給電用の第１のケーブルｋ１が接続されているとともに、この電源ボックス３４からは、電力を脚体３１に供給するための給電用の第２のケーブルｋ２が導出されている。さらに、この電源ボックス３４と操作スイッチ３３との間には、脚体３１に対する給電状態をコントロールするための信号用のケーブルｋ３が設けられている。しかして、これらケーブルｋ１〜ｋ３の一部が前記連結ビーム６内を通して電源ボックス３４に案内されている。
【００３７】
また、この連結ビーム６には、手動チルト機構４の操作体４２とガススプリング４１とを結ぶワイヤーｗも収容されている。なお、この実施形態では、手動チルト機構４が、各ベース１とチルト天板２との間にそれぞれ設けられた左右対をなすガススプリング４１と、チルト天板２の左右方向中央に設けられた共通の操作体４２とを備えたものであるため、操作体４２から延びる２本のワイヤーｗを連結ビーム６内で左右に分岐させて各ガススプリング４１に導いている。符号６１２ｘは、連結ビーム６の左右方向中央に穿設されたワイヤー挿通孔である。
【００３８】
連結ビーム６は、図１２、図１３及び図１８に示すように、下面を開放したビーム本体６１と、このビーム本体６１の下面に着脱可能に蓋着されたカバー６２、６３とを備えたものである。ビーム本体６１は、天壁６１１と、この天壁６１１の前縁から垂下させた前壁６１２と、この前壁６１２の下縁から後方に延出させた前縁壁６１３と、天壁６１１の後縁から垂下させた後壁６１４と、この後壁６１４の下縁から前方に延出させた後縁壁６１５とを備えたチャンネル状のもので、前縁壁６１３の延出端と後縁壁６１５の延出端との間に連続した開口部６１ａが形成されている。そして、この開口部６１ａは、中央のカバー６２と左右のカバー６３とによって塞がれている。
【００３９】
中央のカバー６２は、開口部６１ａの左右方向の中央領域、すなわち、電源ボックス３４が収納されている領域に着脱可能に蓋着されたもので、前縁壁６１３及び後縁壁６１５にねじ止めされている。左右のカバー６３は、開口部６１ａの左右の領域にそれぞれ着脱可能に蓋着されたもので、同じく前縁壁６１３及び後縁壁６１５にねじ止めされている。左右のカバー６３は、ビーム本体６１内をケーブル用空間ｒ１とワイヤー用空間ｒ２とに仕切る仕切り板６３１を備えている。具体的には、左右のカバー６３は、左右両端部が連結ビーム６の開口部６１ａの幅寸法よりも大きく、中間部が開口部６１ａの開口幅と略同一になるように設定された平板状のカバー本体６３０と、このカバー本体６３０における中間部両縁からそれぞれ起立させた対をなす仕切り板６３１とを備えたものであり、カバー本体６３０の両端部が連結ビーム６の下面にねじ止めされている。対をなす仕切り板６３１は連結ビーム６内に延出しており、両仕切り板６３１間にケーブル用空間ｒ１が形成されているとともに、一方の仕切り板６３１と連結ビーム６のビーム本体６１の前壁６１２との間にワイヤー用空間ｒ２が形成されている。左右のカバー６３の端部には、ケーブル用空間ｒ１を外部に連通させるための切欠部６３ａが設けられている。
【００４０】
また、この連結ビーム６のビーム本体６１の後壁６１４には、図１１及び図１９に示すように、上方に開放された樋状の配線ダクト７が取着されている。
【００４１】
＜チルト天板２と固定棚板５との関係＞
このテーブルＴは、天板面の角度を自在に変更できるチルト天板２だけでなく、ディスプレイ等を載置しておくことが可能な固定棚板５をも備えており、これらチルト天板２と固定棚板５との間に使いやすい関係性を持たせている。すなわち、このテーブルＴは、図１〜図１２、図１７及び図１９に示すように、チルト天板２と、このチルト天板２の反使用端２ｃ及びその近傍の部位の上に平面視において重なるように配置された固定棚板５とを備えてなるもので、チルト天板２は、ベース１に傾動可能に支持され、固定棚板５は、そのベース１に固定されている。しかして、チルト天板２は、反使用端２ｃが固定棚板５に接近する傾斜姿勢ｓから固定棚板５と平行となる水平姿勢ｈまでの間で傾動可能なものである。固定棚板５は、奥行寸法がチルト天板２よりも小さい平面視長方形状の棚板本体５１と、この棚板本体５１の左右両端部５１ａに止着された取付けアーム５２とを備えたもので、それら左右の取付けアーム５２の先端部が対応する左右のベース１にそれぞれねじ止めされている。各取付けアーム５２は、チルト天板２の傾動を阻害しない形状、例えば、手前側に開放された側面視コ字形をなしている。
【００４２】
また、左右のベース１には、チルト天板２と固定棚板５の反使用端側を隠すパネル８が支持されている。パネル８は、起立したパネル本体８１と、このパネル本体８１の左右両端部８１ａに止着された取付けアーム８２とを備えたもので、それら左右の取付けアーム８２の先端部が対応する左右のベース１にそれぞれねじ止めされている。
【００４３】
＜ガススプリング４１の取付け構造＞
このテーブルＴは、左右のガススプリング４１の取り付け構造にも工夫をこらしている。すなわち、このテーブルＴは、図２０及び図２１に示すように、各ガススプリング４１を、対応する脚体３１の左右方向中央よりも外側方寄りに偏移させて配設している。各ベース１は、図１６、図２０及び図２１に示すように、各脚体３１の上端に止着されチルト天板２を枢支するベース本体１１と、脚体３１の前端部を覆うようにしてベース本体１１から垂下された平断面コ字形の取付け台座１２とを備えたものであり、ガススプリング４１が、その取付け台座１２の外側の角部１２ａに近接する部位に取付けられている。具体的には、取付け台座１２は、脚体３１の前端面を覆う前板１２１と、脚体３１の内外の側面を覆う内側板１２２及び外側板１２３とを備えたものであり、ガススプリング４１が、前板１２１と外側板１２３とが交わる角部１２ａに近接させて当該前板１２１に取付けられている。
【００４４】
このテーブルＴでは、脚体３１として、テレスコープ式に伸縮する角柱状のものを用いている。そのため、取付け台座１２の前板１２１を脚体３１の前面に対面させるとともに、取付け台座１２の内外の側板１２２、１２３を前記脚体３１の内外の側面に対面させて取付け台座１２の嵩張りを最小限に止め、脚体３１とベース１とのつながりを外観的にもシンプルなものにしている。
【００４５】
チルト天板２は、前述したように左右両端部にベース１の外側面を覆う垂下板部２２２を備えたものであり、ガススプリング４１は、基端をベース１の取付け台座１２に軸着するとともに先端をチルト天板２の垂下板部２２２に軸着したものである。このようにガススプリング４１の外側面側はチルト天板の垂下壁部２２２により隠されており、一方、ガススプリング４１の内側面側及び下面側は、格別なガススプリング被覆カバー４３により覆われている。
【００４６】
ここで、図１は、このテーブルＴの平面図、図２は同正面図、図３は同斜視図、図４は同左側面図である。これら図１、図２、図３及び図４は、座位作業用にチルト天板２を低位置（座位位置Ｄ）まで降下させたもので、チルト天板２が水平姿勢ｈに保持された状態（フラット状態）を示している。図５は、座位位置Ｄにおいてチルト天板２を傾斜位置ｓにまで傾動させた状態（チルト状態）を示す図３相当の斜視図、図６は同左側面図である。図７は、立位作業用にチルト天板２を高位置（立位位置Ｕ）まで上昇させた上で、チルト天板２を水平姿勢ｈに保持した状態（フラット状態）を示す図３相当の斜視図、図８は、同左側面図である。図９は、立位位置Ｕにおいてチルト天板２をチルト状態にした図３相当の斜視図、図１０は、同左側面図である。図１１は、図２におけるＡ−Ａに対応する拡大断面図である。この図１１においては、ワイヤーｗの図示は省略してある。ケーブルｋ１〜ｋ３についても、一部のみを図示し、大部分は省略してある。図１２は、テーブルＴを下面側から観察した斜視図であり、ガススプリング被覆カバー４３は外してある。図１２においても、ワイヤーｗ及びケーブルｋ１〜ｋ３については、一部のみを図示し、大部分を省略してある。図１３は、図１２におけるＢ矢示部分の構成を説明するための拡大斜視図である。図１３においては、ワイヤーｗ及びケーブルｋ１〜ｋ３を概略的に示すとともに、連結ビーム６もその一部を破断して内部を示している。図１４は、テーブルＴの全体を分解して示す分解斜視図である。図１５は、チルト天板２を取り除いてベース１およびその近傍の部分を示す斜視図である。図１６は、ベース１の脚体３に対する取付け構造や、ガススプリング４１のベース１に対する取付け構造を示す分解斜視図であり、ベース１自体も分解して示してある。図１７は、一方のガススプリング被覆カバー４３を外してガススプリング４１を露出させた状態を示すテーブルＴの正面図である。図１８は、図１７におけるＣ−Ｃ線に沿う断面図であり、脚体の内部構造については図示を省略してある。図１９は、図１７におけるＤ−Ｄ線に沿う拡大断面図である。図１９では、ワイヤーｗの概略を示してあるが、大部分のケーブルｋ１〜ｋ３については図示を省略してある。図２０は、図１７におけるＥ部を拡大して示す拡大図であり、ガススプリング４１周りのワイヤーｗを描き足してある。図２１は、図１８におけるＦ部を拡大して示す拡大図であり、ワイヤーｗの概略とケーブルｋ１〜ｋ３の概略を想像線により描き足してある。図２２は、ガススプリング４１と操作体４２との接続状態を説明するための説明図である。図２３は、操作体４２の操作方法を示す説明図である。
【００４７】
＜本実施形態の作動＞
以上説明したテーブルＴの作動を説明すれば、次の通りである。
【００４８】
まず、チルト天板２の右端部２ａにある操作スイッチ３３を操作することによって、左右の脚体３１を同期させて伸縮させることができる。両脚体３１が伸縮すると、これらの脚体３１に支持された左右のベース１が連結ビーム６とともに昇降する。その結果、これらベース１に枢支されたチルト天板２が昇降する。そのため、操作スイッチ３３に対する操作によって、チルト天板２の高さ位置を自由に変更することができる。なお、固定棚板５やパネル８はベース１に取り付けられており、また、配線ダクト７は連結ビーム６に取り付けられているため、これら固定棚板５、パネル８、及び配線ダクト７の高さ位置もチルト天板２との相対位置関係を維持したまま同時に変更することができる。図１〜図６は、脚体３１を短縮させてチルト天板２を座位位置Ｄまで降下させた状態を示しており、図７〜図１０は、脚体３１を伸長させてチルト天板２を立位位置Ｕまで上昇させた状態を示している。
【００４９】
また、チルト天板２の左右方向中央に設けられた操作体４２を操作することによって左右のガススプリング４１のロック状態を解除することができ、チルト天板２の傾斜位置を変更することが可能となる。すなわち、図２２及び図２３に示すように、操作体４２の操作レバー４２２を実線で示すロック位置から想像線で示す非ロック位置まで回動操作すると、その操作力が２本のワイヤーｗを介して左右のガススプリング４１に伝達され当該ガススプリング４１のロック状態が解除される。具体的には、操作体４２の操作レバー４２２を図２２に実線で示すロック位置から想像線で示すロック解除位置まで手前に引くようにして回動させることによって、ガススプリング４１側の押圧レバー４１８が実線で示す非操作端押圧位置から想像線で示す操作端押圧位置まで回動することになり、ガススプリング４１が非ロック状態となる。この状態では、図２３に示すようにチルト天板２の使用端２ｂを上下から把持した状態で操作レバー４２２をロック解除位置に保持しておくことができる。そのため、この把持状態でチルト天板２の使用端２ｂ部分を下方に押し下げることによって、チルト天板２を水平姿勢ｈから傾斜姿勢ｓに向けて傾動させることができる。このチルト動作はガススプリング４１の反発力に抗しつつ行われるものであり、ガススプリング４１には反発力が蓄勢されることになる。一方、この把持状態でチルト天板２を押し下げる力を緩めると、チルト天板２はガススプリング４１の反発力により水平姿勢ｈに戻る方向に回動する。したがって、チルト天板２の使用端２ｂを把持したままで押し下げ力を加減することによって、チルト天板２の傾斜角度を自由に変更することができる。そして、チルト天板２が所望の傾動位置に達した段階で操作レバー４２２から指を離すと、操作レバー４２２が元のロック位置に自己復帰してガススプリング４１がロック状態となり、チルト天板２のチルト動作が禁止されることになる。図５、図６、図９及び図１０は、チルト天板２を極限の傾斜姿勢ｓにまで傾動させてロックした状態を示している。
【００５０】
＜本実施形態の作用効果＞
このような構成のものであれば、チルト天板２の高さ位置と傾斜位置とを自由に変更して使用することができるため、椅子に着座して行う座位位置Ｄでの使用態様や起立して行う立位位置Ｕでの使用態様を自在に選択することができるだけでなく、各高さ位置においてチルト天板２の傾斜角度を任意に変更することもできる。すなわち、このテーブルＴによれば、使用者の身体的な特性や作業内容等に応じてチルト天板２の高さや傾斜を自由に設定することができ、しかも、その設定を自在に変更することができる。そのため、背中や腰が曲がった状態での作業を余儀なくされたり、天板面上の書類や画面等が見にくくなったりするのを効果的に防止又は抑制することができ、正しい姿勢を維持して健康的なオフィスワーク等を続けることができるものである。
【００５１】
また、このテーブルＴでは、各ガススプリング４１が、対応する脚体３１の左右方向中央よりも外側方寄りに偏移させて配設されているため、左右のガススプリング４１間に形成される空間の左右幅を従来のものに比べて広げることができる。すなわち、チルト天板２の使用端２ｂ側における下面近傍空間は、両ガススプリング４１を前述のように配置することによって広くなっている。この空間拡大効果は、使用端２ｂ側の下面近傍空間の近くでデスクワークを行う使用者に敏感に感じとることができる。具体的には、この実施形態では、ガススプリング４１の内側面側及び下面側はガススプリング被覆カバー４３により覆われるが、前述したようなガススプリング４１の配置によれば、左右の被覆カバー４３の内側面４３ａ間の距離を、左右の脚体３１の内側面３１ｂ間の距離よりも大きくすることが可能となり、開放感を向上させることができる。
【００５２】
また、各ベース１が、各脚体３１の上端３１ａに止着されチルト天板２を枢支するベース本体１１と、脚体３１の前端部を覆うようにしてベース本体１１から垂下された断面コ字形の取付台座１２とを備えたものにしているので、上端３１ａに取付け部３１４を有する汎用の脚体３１を用いてガススプリング４１を適切に設置することができる。しかも、この場合、ガススプリング４１を、取付台座１２の外側の角部１２ａに近接する部位に取付けているので、ガススプリング４１からの押圧力を受けても取付台座１２が歪みにくい。角部１２ａは平面的な部分よりも剛性が高いためである。そのため、取付台座１２の厚肉化や取付台座１２と脚体３１との隙間を増大させることなく、ベース１と脚体３１との干渉を防ぐことが可能となる。脚体３１が、テレスコープ式に伸縮する角柱状のものである場合には、取付台座１２が歪んで脚体３１に干渉すると、当該脚体３１の作動不良を招くことになるが、本実施形態によればこのよう不具合の発生を効果的に防止することができる。
【００５３】
さらに、このテーブルＴは、両ベース１を連結ビーム６により連結し、チルト天板２に設けられた操作体４２から導出される操作ワイヤーｗをその連結ビーム６及びベース１に案内させてガススプリング４１に導いているので、チルト天板２の下面側空間に操作ワイヤーｗが乱雑に露出するのを効果的に防ぐことがきる。そのため、左右のガススプリング４１を外寄りに配置している効果と相まって、チルト天板２の下面側空間の開放感をより高めることができる。
【００５４】
また、チルト天板２が、左右両端部にベース１の外側面を覆う垂下板部２２２を備えたものであり、ガススプリング４１が、基端をベース１の取付台座１２に軸着するとともに先端をチルト天板２の垂下板部２２２に軸着したものにしているので、ガススプリング４１の取付け部分が内側に出っ張ってチルト天板２の下面側空間を狭めることをも容易に防止することができる。そして、ベース１の外側面側に位置する垂下板部２２２を支軸２３を介してそのベース１に傾動可能に軸支させているので、チルト天板２の軸支部分が天板２の下面側空間に張り出すのをも容易に防ぐことができる。
【００５５】
＜他の実施形態＞
なお、本発明は以上説明した実施形態のものに限定されるものではなく、その趣旨を逸脱しない範囲で種々変形が可能である。
【００５６】
例えば、請求項１〜３記載の発明におけるチルト天板は、ベースに対して傾動可能なものであればよく、昇降しないものでもよい。
【００５７】
換言すれば、脚体の構造は全体が伸縮するようなものに限定されず、さらに、チルト天板やベースが昇降可能でないものや、手動力によりチルト天板やベースを昇降可能にしているものも含まれる。
【００５８】
ガススプリングも、ロック可能なものに限られず、チルト天板を常時一定の方向に弾性付勢してチルト動作を軽快にするためだけのものであってもよい。
【００５９】
その他、本発明の趣旨を損ねない範囲で種々に変形してよい。
【符号の説明】
【００６０】
Ｔ…テーブル
１…ベース
１１…ベース本体
１２…取付台座
１２ａ…取付台座の外側の角部
１２１…前板
１２３…外側板
２…チルト天板
２ａ…チルト天板の左右両端部
２ｂ…使用端
２３…支軸
２２２…垂下板部
３１…脚体
４…手動チルト機構
４１…ガススプリング
４２…操作体
６…連結ビーム
ｗ…ワイヤー
【図１】
2020065757.tif 000003
【図２】
2020065757.tif 000004
【図３】
2020065757.tif 000005
【図４】
2020065757.tif 000006
【図５】
2020065757.tif 000007
【図６】
2020065757.tif 000008
【図７】
2020065757.tif 000009
【図８】
2020065757.tif 000010
【図９】
2020065757.tif 000011
【図１０】
2020065757.tif 000012
【図１１】
2020065757.tif 000013
【図１２】
2020065757.tif 000014
【図１３】
2020065757.tif 000015
【図１４】
2020065757.tif 000016
【図１５】
2020065757.tif 000017
【図１６】
2020065757.tif 000018
【図１７】
2020065757.tif 000019
【図１８】
2020065757.tif 000020
【図１９】
2020065757.tif 000021
【図２０】
2020065757.tif 000022
【図２１】
2020065757.tif 000023
【図２２】
2020065757.tif 000024
【図２３】
2020065757.tif 000025